(57)【特許請求の範囲】
【請求項１】
食塩又は塩化カリウムを溶解して所定の濃度に調整された被電解水を供給する被電解水供給路と、隔膜によってその内部に区画形成した陽極室と陰極室に前記被電解水供給路を連通接続した電解槽を備えて、前記被電解水供給路から供給される前記被電解水を前記陽極室と陰極室にて電気分解して生成した酸性水とアルカリ性水を同陽極室と陰極室に接続した導出路からそれぞれ導出するようにした電解水生成装置において、
前記酸性水の導出路に接続した酸性水タンクに冷却手段を設け、前記アルカリ性水の導出路に接続したアルカリ性水タンクに加熱手段を設けて、前記酸性水タンクに所定の温度に冷却した酸性水が貯留され前記アルカリ性水タンクに所定温度に加熱したアルカリ性水が貯留されるようにしたことを特徴とする電解水生成装置。
【請求項２】
前記冷却手段と前記加熱手段として、前記酸性水タンクに貯留された酸性水を循環させる循環路に介装した循環ポンプと前記アルカリ性水タンクに貯留されたアルカリ性水を循環させる循環路に介装した循環ポンプとにより構成したヒートポンプを採用したことを特徴とする請求項１に記載の電解水生成装置。
【請求項３】
食塩又は塩化カリウムを溶解して所定の濃度に調整された被電解水を供給する被電解水供給路と、隔膜によってその内部に区画形成した陽極室と陰極室に前記被電解水供給路を連通接続した電解槽を備えて、前記被電解水供給路から供給される前記被電解水を前記陽極室と陰極室にて電気分解して生成した酸性水とアルカリ性水を同陽極室と陰極室に接続した導出路からそれぞれ導出するようにした電解水生成装置において、
前記被電解水供給路に加熱手段を設けて前記電解槽に供給される被電解水を加熱し、前記酸性水の導出管に冷却手段を設けて前記電解槽の陽極室から導出される酸性水を冷却するようにしたことを特徴とする電解水生成装置。
【請求項４】
食塩又は塩化カリウムを溶解して所定の濃度に調整された被電解水を供給する被電解水供給路と、隔膜によってその内部に区画形成した陽極室と陰極室に前記被電解水供給路を連通接続した電解槽を備えて、前記被電解水供給路から供給される前記被電解水を前記陽極室と陰極室にて電気分解して生成した酸性水とアルカリ性水を同陽極室と陰極室に接続した導出路からそれぞれ導出するようにした電解水生成装置において、
前記電解槽に前記被電解水供給路から供給される被電解水を加熱する加熱手段を設け、前記酸性水の導出管に前記電解槽の陽極室から導出される酸性水を冷却する冷却手段を設けたことを特徴とする電解水生成装置。
【発明の詳細な説明】
【０００１】
【発明の属する技術分野】
本発明は、被電解水を電気分解してアルカリ性水と酸性水を生成する電解水生成装置に関する。
【０００２】
【従来の技術】
この種の装置は、例えば、特公平４−４２０７７号公報に示されていて、この公報に示されている装置は、有隔膜電解槽と、同電解槽に被電解水を供給する被電解水供給路と、前記有隔膜電解槽にて生成されたアルカリ性水と酸性水をそれぞれ導出するアルカリ性水導出路と酸性水導出路を備えている。
【０００３】
【発明が解決しようとする課題】
ところで、上記した公報に示されている電解水生成装置においては、生成されるアルカリ性水と酸性水は同じ水温となる。しかしながら、アルカリ性水の洗浄能力を充分に発揮させる水温（高温ほど好ましいが、樹脂製品や隔膜の耐熱性、使用時の火傷のおそれ等を考慮すると３０℃〜５０℃が好ましい）と酸性水の殺菌、脱臭、漂白能力を充分に発揮させる水温（低温ほど好ましいが、塩素ガスの揮発の抑制、塩素・電解質が混入していることによる凝固点の低下等を考慮すると０℃〜１０℃が好ましい）は異なるために、この装置では、両電解水の能力を充分に発揮させる水温の両電解水を同時に生成することはできない。
【０００４】
【課題を解決するための手段】
本発明は、上記の問題に対処するため、食塩又は塩化カリウムを溶解して所定の濃度に調整された被電解水を供給する被電解水供給路と、隔膜によってその内部に区画形成した陽極室と陰極室に前記被電解水供給路を連通接続した電解槽を備えて、前記被電解水供給路から供給される前記被電解水を前記陽極室と陰極室にて電気分解して生成した酸性水とアルカリ性水を同陽極室と陰極室に接続した導出路からそれぞれ導出するようにした電解水生成装置において、前記酸性水の導出路に接続した酸性水タンクに冷却手段を設け、前記アルカリ性水の導出路に接続したアルカリ性水タンクに加熱手段を設けて、前記酸性水タンクに所定の温度に冷却した酸性水が貯留され前記アルカリ性水タンクに所定温度に加熱したアルカリ性水が貯留されるようにしたことを特徴とする電解水生成装置を提供するものである。  この電解水生成装置においては、前記冷却手段と加熱手段として、前記酸性水タンクに貯留された酸性水を循環させる循環路に介装した循環ポンプと前記アルカリ性水タンクに貯留されたアルカリ性水を循環させる循環路に介装した循環ポンプとにより構成したヒートポンプを採用するのが望ましい。
【０００５】
本発明の一実施形態においては、食塩又は塩化カリウムを溶解して所定の濃度に調整された被電解水を供給する被電解水供給路と、隔膜によってその内部に区画形成した陽極室と陰極室に前記被電解水供給路を連通接続した電解槽を備えて、前記被電解水供給路から供給される前記被電解水を前記陽極室と陰極室にて電気分解して生成した酸性水とアルカリ性水を同陽極室と陰極室に接続した導出路からそれぞれ導出するようにした電解水生成装置において、前記被電解水供給路に加熱手段を設けて前記電解槽に供給される被電解水を加熱し、前記酸性水の導出管に冷却手段を設けて前記電解槽の陽極室から導出される酸性水を冷却するようにしたことを特徴とする電解水生成装置が提供される。なお、この実施形態においては、前記被電解水供給路の設けた加熱手段に代えて、
前記被電解水供給路から供給される被電解水を加熱する加熱手段を前記電解槽に設けてもよい。
【０００６】
【発明の作用・効果】
上述した本発明の電解水生成装置においては、所定温度に加熱されて洗浄能力が高められた温アルカリ性水と所定温度に冷却されて殺菌、脱臭、漂白能力が高められた冷酸性水（冷却されて塩素ガスの揮発が抑制され、有効塩素濃度が高められている）をその用途に応じて有効に使用することができる。
【０００７】
また、本発明の電解水生成装置においては、アルカリ性水タンクと酸性水タンクを備えた既設の電解水生成装置に、加熱手段及び冷却手段を配設すればよく、容易に実施することができる。また、上記した加熱手段及び冷却手段によって、電解後のアルカリ性水及び酸性水が加熱及び冷却されるものであるため、被電解水の水温に影響を及ぼすことがなくて、電解槽内での電解効率に影響を及ぼすことがない。
【０００８】
なお、本発明の電解水生成装置において、前記冷却手段と加熱手段として、前記酸性水タンクに貯留された酸性水を循環させる循環路に介装した循環ポンプと前記アルカリ性水タンクに貯留されたアルカリ性水を循環させる循環路に介装した循環ポンプとにより構成したヒートポンプを採用した場合には、冷却手段と加熱手段を一体的に構成することができて、当該電解水生成装置をコンパクトに構成して実施することができる。
【０００９】
また、上述した本発明の実施形態においては、被電解水供給路または電解槽に加熱手段を設けたため、電気分解前の被電解水が加熱されるため、被電解水の濃度及び流量、電解電流を一定にした場合には、陽極室にて有効塩素濃度が高い酸性水を得ることができて（図５参照）電解効率を高めることができるとともに、電解時の電圧を下げることができ（図６参照）電極の寿命を延ばすことができてランニングコストの低減をはかることができる。
【００１０】
【発明の実施の形態】
以下に本発明の一実施形態を図面に基づいて説明する。
図１は本発明による電解水生成装置の第１実施形態を示していて、この電解水生成装置は、有隔膜の電解槽１０と、この電解槽１０の上流側に配設された食塩水供給装置２０と、電解槽１０の下流側に配設されたアルカリ性水タンク３０及び酸性水タンク４０とを備えていて、これらは流量調整弁Ｖ１，Ｖ２を介装した管路５０によってそれぞれ接続されている。なお、管路５０は、原水供給管５１、食塩水供給管５２、食塩水供給管５２の分岐管５２ａ，５２ｂ、アルカリ性水導出管５３、酸性水導出管５４、アルカリ性水取出管５５及び酸性水取出管５６から構成されている。
【００１１】
電解槽１０は、槽本体１１内に供給される所定濃度の食塩水を電気分解してアルカリ性水と酸性水を生成するそれ自体周知のもので、その内部は隔膜１２によって陰極１３を収容する陰極室１４と陽極１５を収容する陽極室１６に区画されている。
【００１２】
食塩水供給装置２０は、接続管２１を介して食塩水供給管５２に略飽和状態の濃塩水を圧送供給するそれ自体周知のもの（インジェクションタイプ）で、食塩水供給管５２内を流れる食塩水の濃度に応じて制御されることにより、食塩水供給管５２内を流れる食塩水の濃度が所定濃度に維持されるようになっている。食塩水供給管５２は、その途中にて分岐管５２ａ（流量調整弁Ｖ１が介装されている），５２ｂ（流量調整弁Ｖ２が介装されている）に分岐され、分岐管５２ａ，５２ｂにてそれぞれ陰極室１４，陽極室１６に接続されている。
【００１３】
アルカリ性水タンク３０は陰極室１４にて生成されたアルカリ性水を貯溜するためのもので、陰極室１４にて生成されたアルカリ性水は、アルカリ性水導出管５３を通して内部に供給され、内部に貯溜されたアルカリ性水は、アルカリ性水取出管５５を通して使用に供されるようになっている。ところで、アルカリ性水タンク３０には、ヒーターＨ１が配設されていて、このヒーターＨ１がアルカリ性水タンク３０内の水温に応じて制御されることにより、アルカリ性水タンク３０内に貯溜されたアルカリ性水の水温が３０℃〜５０℃の範囲に加熱・保存されるようになっている。
【００１４】
酸性水タンク４０は陽極室１６にて生成された酸性水を貯溜するためのもので、陽極室１６にて生成された酸性水は、酸性水導出管５４を通して内部に供給され、内部に貯溜された酸性水は、酸性水取出管５６を通して使用に供されるようになっている。ところで、酸性水タンク４０には、クーラーＣ１が配設されていて、このクーラーＣ１が酸性水タンク４０内の水温に応じて制御されることにより、酸性水タンク４０内に貯溜された酸性水の水温が０℃〜１０℃の範囲に冷却・保存されるようになっている。
【００１５】
上記のように構成した第１実施形態においては、電解槽１０にて生成されるアルカリ性水がアルカリ性水タンク３０にて加熱されるとともに、酸性水が酸性水タンク４０にて冷却されて、温アルカリ性水及び冷酸性水とされ、それぞれアルカリ性水取出管５５及び酸性水取出管５６を通して供給可能であるため、温められて洗浄能力が高められたアルカリ性水及び冷却されて殺菌、脱臭、漂白能力が高められた酸性水（冷却されて塩素ガスの揮発が抑制され、有効塩素濃度が高められている）を効果的に使用することができる。また、酸性水タンク４０内の酸性水の水温が０℃〜１０℃の範囲に冷却・保存されるようになっているため、酸性水の有効塩素濃度の経時変化を示す図２から明らかなように、酸性水の水温を２０℃あるいは３０℃にして保存した場合に比して、酸性水の有効塩素濃度を長時間高濃度に維持することができるとともに、酸性水タンク４０内での雑菌の繁殖を抑制することができる。
【００１６】
また、本実施形態においては、既設の電解水生成装置が、アルカリ性水タンク３０及び酸性水タンク４０を備えたものであれば、各タンク３０，４０にヒーターＨ１及びクーラーＣ１を配設すればよく、容易に実施することができる。また、上記したヒーターＨ１及びクーラーＣ１によって、アルカリ性水タンク３０に貯溜されたアルカリ性水が加熱され、酸性水タンク４０に貯溜された酸性水が冷却されるものであるため、食塩水の水温に影響を及ぼすことがなくて、電解槽１０内での電解効率に影響を及ぼすことがない。
【００１７】
上記した第１実施形態においては、アルカリ性水タンク３０に貯溜されたアルカリ性水を加熱する加熱手段としてヒーターＨ１を採用して、貯溜されたアルカリ性水を加熱するとともに、酸性水タンク４０に貯溜された酸性水を冷却する冷却手段としてクーラーＣ１を採用して、貯溜された酸性水を冷却するようにしたが、アルカリ性水タンク３０に貯溜されたアルカリ性水を加熱する加熱手段及び酸性水タンク４０に貯溜された酸性水を冷却する冷却手段として、図３に示した変形実施形態のようにヒートポンプ１６０を採用して実施することも可能である。
【００１８】
ヒートポンプ１６０は、加熱部１６１と冷却部１６２を有したそれ自体周知のものであって、加熱部１６１には循環路１５７が接続されるとともに、冷却部１６２には循環路１５８が接続されている。循環路１５７は、アルカリ性水タンク１３０内に貯溜されたアルカリ性水を循環させるもので、循環ポンプＰ１が介装されている。循環路１５８は、酸性水タンク１４０内に貯溜された酸性水を循環させるもので、循環ポンプＰ２が介装されている。循環ポンプＰ１は、アルカリ性水タンク１３０内に貯溜されたアルカリ性水の水温に応じて制御されるようになっていて、アルカリ性水タンク１３０内に貯溜されたアルカリ性水の水温が３０℃〜５０℃の範囲に加熱・保存されるようになっている。また、循環ポンプＰ２は、酸性水タンク１４０内に貯溜された酸性水の水温に応じて制御されるようになっていて、酸性水タンク１４０内に貯溜された酸性水の水温が０℃〜１０℃の範囲に冷却・保存されるようになっている。なお、それ以外の構成は、上記第１実施形態と実質的に同一であるため、同一構成の各構成部材には１００番台の同一符号を付してその説明は省略する。
【００１９】
上記のように構成した変形実施形態においては、上記第１実施形態の作用効果に加えて、アルカリ性水タンク１３０に貯溜されたアルカリ性水を加熱する加熱手段及び酸性水タンク１４０に貯溜された酸性水を冷却する冷却手段としてヒートポンプ１６０を採用したため、両手段を一体的に構成することができて、当該電解水生成装置をコンパクトに実施することができる。
【００２０】
上記した第１実施形態及びその変形実施形態においては、分岐管５２ａ，１５２ａ、陰極室１４，１１４、アルカリ性水導出管５３，１５３、加熱手段を備えたアルカリ性水タンク３０，１３０及びアルカリ性水取出管５５，１５５によって温アルカリ生成回路を構成するとともに、分岐管５２ｂ，１５２ｂ、陽極室１６，１１６、酸性水導出管５４，１５４、冷却手段を備えた酸性水タンク４０，１４０及び酸性水取出管５６，１５６によって冷酸生成回路を構成したが、アルカリ性水タンク及び酸性水タンクを備えない電解水生成装置に本発明を実施する場合には、アルカリ性水導出管又はアルカリ性水取出管内を流れるアルカリ性水を加熱する加熱手段及び酸性水導出管又は酸性水取出管内を流れる酸性水を冷却する冷却手段を設けて、分岐管、陰極室及び加熱手段を備えたアルカリ性水導出管又はアルカリ性水取出管によって温アルカリ生成回路を構成するとともに、分岐管、陽極室及び冷却手段を備えた酸性水導出管又は酸性水取出管によって冷酸生成回路を構成して実施すればよい。
【００２１】
図４は本発明による電解水生成装置の第２実施形態を示していて、この電解水生成装置は、有隔膜の電解槽２１０と、この電解槽２１０の上流側に配設された食塩水供給装置２２０とを備えていて、これらは流量調整弁Ｖ２１，Ｖ２２を介装した管路２５０によってそれぞれ接続されている。なお、管路２５０は、原水供給管２５１、食塩水供給管２５２、食塩水供給管２５２の分岐管２５２ａ，２５２ｂ、アルカリ性水導出管２５３及び酸性水導出管２５４から構成されている。
【００２２】
電解槽２１０は、槽本体２１１内に供給される所定濃度の食塩水を電気分解してアルカリ性水と酸性水を生成するそれ自体周知のもので、その内部は隔膜２１２によって陰極２１３を収容する陰極室２１４と陽極２１５を収容する陽極室２１６に区画されており、陰極室２１４にて生成されたアルカリ性水は、アルカリ性水導出管２５３を通して導出され、陽極室２１６にて生成された酸性水は、酸性水導出管２５４を通して導出されるようになっている。
【００２３】
食塩水供給装置２２０は、接続管２２１を介して食塩水供給管２５２に略飽和状態の濃塩水を供給するそれ自体周知のもの（インジェクションタイプ）で、食塩水供給管２５２内を流れる食塩水の濃度に応じて制御されることにより、食塩水供給管２５２内を流れる食塩水の濃度が所定濃度に維持されるようになっている。食塩水供給管２５２は、その途中にて分岐管２５２ａ（流量調整弁Ｖ２１が介装されている），２５２ｂ（流量調整弁Ｖ２２が介装されている）に分岐され、分岐管２５２ａ，２５２ｂにてそれぞれ陰極室２１４，陽極室２１６に接続されている。
【００２４】
ところで、本実施形態においては、原水供給管２５１にヒーターＨ２が介装されるとともに、酸性水導出管２５４にクーラーＣ２が介装されていて、ヒーターＨ２が食塩水供給管２５２を流れる食塩水の水温に応じて制御されることにより、食塩水供給管２５２を流れる食塩水の水温が３０℃〜５０℃の範囲に加熱・維持されるとともに、クーラーＣ２が酸性水導出管２５４の出口側を流れる酸性水の水温に応じて制御されることにより、酸性水導出管２５４の出口側を流れる酸性水の水温が０℃〜１０℃の範囲に冷却・維持されるようになっている。なお、ヒーターＨ２は、汎用の温水器で代用することも可能である。
【００２５】
上記のように構成した第２実施形態においては、原水供給管２５１にヒーターＨ２を設けるとともに、酸性水導出管２５４にクーラーＣ２を設けたため、アルカリ性水導出管２５３及び酸性水導出管２５４を通して温アルカリ性水及び冷酸性水をそれぞれ供給することができ、温められて洗浄能力が高められたアルカリ性水及び冷却されて殺菌、脱臭、漂白能力が高められた酸性水（冷却されて塩素ガスの揮発が抑制され、有効塩素濃度が高められている）を効果的に使用することができる。
【００２６】
また、原水供給管２５１に設けたヒーターＨ２により水道水が加熱され、これにより電気分解前の食塩水が加熱されるため、食塩水の濃度及び流量、電解電流を一定（濃度…０．１０重量％、陰極室２１４及び陽極室２１６への供給流量…２．５リットル／分、電解電流…１５Ａ）にした場合には、電解前の食塩水の水温と電解後の酸性水の有効塩素濃度との関係を示す図５から明らかなように、陽極室２１６にて有効塩素濃度が高い酸性水を得ることができて電解効率を高めることができるとともに、電解前の食塩水の水温と電解電圧との関係を示す図６から明らかなように、電解時の電圧を下げることができ両電極２１３，２１５の寿命を延ばすことができてランニングコストの低減をはかることができる。
【００２７】
上記した第２実施形態においては、原水供給管２５１にヒーターＨ２を設けて実施したが、食塩水供給管２５２にヒーターＨ２を設けて実施することも可能である。
【００２８】
また、上記した第２実施形態においては、インジェクションタイプの電解水生成装置に本発明を実施したが、図７に示した第１変形実施形態のように、希塩水タンクタイプの電解水生成装置に本発明を実施することも可能である。なお、希塩水タンクタイプの電解水生成装置においては、食塩水供給装置３２０が、濃塩水と、原水供給管３５１から供給される水道水から所定濃度の食塩水を生成して貯溜するタンクを備えていて、タンク内に貯溜された食塩水を加熱するようにしてヒーターＨ３が設けられている。
【００２９】
ヒーターＨ３は、タンク内に貯溜された食塩水の水温に応じて制御されるようになっていて、これによりタンク内に貯溜された食塩水の水温が３０℃〜５０℃の範囲に加熱・保存されるようになっている。なお、それ以外の構成は、上記第２実施形態と実質的に同一であるため、同一構成の各構成部材には３００番台の同一符号を付してその説明は省略する。
【００３０】
上記した第２実施形態及びその第１変形実施形態においては、電解槽２１０，３１０に供給される食塩水が３０℃〜５０℃に加熱・維持されるようにして実施したが、図８に示した第２変形実施形態のように、ヒーターＨ４を電解槽４１０に設けて実施することも可能である。
【００３１】
ヒーターＨ４は、電解槽４１０内の食塩水を加熱するためのもので、電解槽４１０の出口側を流れる電解水の水温に応じて制御されることにより、電解槽４１０の出口側を流れる電解水の水温が３０℃〜５０℃に維持されるようになっている。なお、それ以外の構成は、上記第２実施形態と実質的に同一であるため、同一構成の各構成部材には４００番台の同一符号を付してその説明は省略する。
【００３２】
また、上記した第２実施形態においては、原水供給管２５１にヒーターＨ２を介装して原水供給管２５１を流れる水道水を加熱するとともに、酸性水導出管２５４にクーラーＣ２を介装して酸性水導出管２５４を流れる酸性水を冷却するようにして実施したが、ヒーターＨ２及びクーラーＣ２に代えて、図９に示した第３変形実施形態のように、食塩水供給管５５２を流れる食塩水を加熱する加熱部５６１と酸性水導出管５５４を流れる酸性水を冷却する冷却部５６２を有したヒートポンプ５６０を採用して実施することも可能である。
【００３３】
加熱部５６１及び冷却部５６２は、それぞれ流量制御弁を備えていて、これらが、食塩水供給管５５２の出口側を流れる食塩水の水温及び酸性水導出管５５４の出口側を流れる酸性水の水温に応じて制御されることによって、食塩水供給管５５２を流れる食塩水の水温が３０℃〜５０℃の範囲に加熱・維持されるとともに、酸性水導出管５５４を流れる酸性水の水温が０℃〜１０℃の範囲に冷却・維持されるようになっている。なお、それ以外の構成は、上記第２実施形態と実質的に同一であるため、同一構成の各構成部材には５００番台の同一符号を付してその説明は省略する。
【００３４】
上記各実施形態及び各変形実施形態においては、電解槽に所定濃度の食塩水を供給し、これを電気分解してアルカリ性水及び酸性水を得るようにしたが、他の電解質（例えば、塩化カリウム）を溶解して得た電解溶液あるいは水道水等の被電解水を電気分解してアルカリ性水及び酸性水を得るようにしてもよい。
【図面の簡単な説明】
【図１】  本発明による電解水生成装置の第１実施形態を概略的に示す全体構成図である。
【図２】  食塩水の濃度、水温及び流量、電解電流を一定にして電気分解して得られた酸性水の保存水温をパラメータとした有効塩素濃度の経時変化を示す特性線図である。
【図３】  図１に示した第１実施形態の変形実施形態を概略的に示す全体構成図である。
【図４】  本発明による電解水生成装置の第２実施形態を概略的に示す全体構成図である。
【図５】  食塩水の濃度及び流量、電解電流を一定にした場合の、電解前の食塩水と電解後の酸性水の有効塩素濃度との関係を示す特性線図である。
【図６】  食塩水の濃度及び流量、電解電流を一定にした場合の、電解前の食塩水の水温と電解電圧との関係を示す特性線図である。
【図７】  図４に示した第２実施形態の第１変形実施形態を概略的に示す全体構成図である。
【図８】  図４に示した第２実施形態の第２変形実施形態を概略的に示す全体構成図である。
【図９】  図４に示した第２実施形態の第３変形実施形態を概略的に示す全体構成図である。
【符号の説明】
１０，１１０，２１０，３１０，４１０，５１０…電解槽、１４，１１４，２１４，３１４，４１４，５１４…陰極室、１６，１１６，２１６，３１６，４１６，５１６…陽極室、２０，１２０，２２０，３２０，４２０，５２０…食塩水供給装置、３０，１３０…アルカリ性水タンク、４０，１４０…酸性水タンク、５０，１５０，２５０，３５０，４５０，５５０…管路、５１，１５１，２５１，３５１，４５１，５５１…原水供給管、５２，１５２，２５２，３５２，４５２，５５２…食塩水供給管、２５３，３５３，４５３，５５３…アルカリ性水導出管、２５４，３５４，４５４，５５４…酸性水導出管、１６０，５６０…ヒートポンプ、Ｈ１，Ｈ２，Ｈ３，Ｈ４…ヒーター（加熱手段）、Ｃ１，Ｃ２，Ｃ３，Ｃ４…クーラー（冷却手段）。
【図１】
0003970407.tif 000002
【図２】
0003970407.tif 000003
【図３】
0003970407.tif 000004
【図４】
0003970407.tif 000005
【図５】
0003970407.tif 000006
【図６】
0003970407.tif 000007
【図７】
0003970407.tif 000008
【図８】
0003970407.tif 000009
【図９】
0003970407.tif 000010